(57)【要約】  本開示は、参照信号伝送方法、送信機および受信機を提供する。当該方法は、送信機が、第２プリコーディング行列でユーザデータのテータストリームにプリコーディングを行ってＤ個の仮想テータストリームを得ることと、送信機が、第１プリコーディング行列で前記Ｄ個の仮想テータストリームにプリコーディングを行い、各々が同一の位相雑音を有する１つまたは複数のアンテナユニットまたはアンテナポートを含むＴ個のアンテナセットによって、第１プリコーディングによるプリコーディング後のＤ個の仮想テータストリームを受信機に伝送することと、Ｄ個の復調参照信号を前記送信機から前記受信機に伝送することと、前記Ｔ個のアンテナセットで１つまたは複数の位相雑音ソースから引き起こされる位相変化を追跡するためのＭ個の位相追跡参照信号を前記送信機から前記受信機に伝送することとを含む。【選択図】  図２
2019537373.tif 000002
【特許請求の範囲】
【請求項１】
送信機が、第２プリコーディング行列でユーザデータのテータストリームにプリコーディングを行ってＤ（１以上の整数）個の仮想テータストリームを得ることと、
前記送信機が、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することと、
各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記送信機から前記受信機に伝送することと、
前記Ｔ個のアンテナセットで１つまたは複数の位相雑音ソースから引き起こされる位相変化を追跡するためのＭ（１以上の整数）個の位相追跡参照信号を前記送信機から前記受信機に伝送することとを含む参照信号伝送方法。
【請求項２】
各仮想テータストリームは、プリコーディングされて１つまたは複数のアンテナセットで伝送され、かつ同一の仮想テータストリームに用いられる１つまたは複数のアンテナセットは、同一の位相雑音を有する請求項１に記載の方法。
【請求項３】
各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である請求項２に記載の方法。
【請求項４】
各位相追跡参照信号は、プリコーディングされて１つまたは複数のアンテナセットで伝送され、かつ同一の位相追跡参照信号に用いられる１つまたは複数のアンテナセットは、同一の位相雑音を有する請求項１〜３のいずれか一項に記載の方法。
【請求項５】
各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である請求項４に記載の方法。
【請求項６】
前記第２プリコーディング行列の情報は、前記送信機と前記受信機によって予め指定され、
または、さらに、
前記第２プリコーディング行列の情報を前記送信機から前記受信機に伝送すること、または、データ帯域幅での前記第２プリコーディング行列の使用ルールを前記送信機から前記受信機に伝送することを含む請求項１〜３のいずれか一項に記載の方法。
【請求項７】
復調参照信号と位相追跡参照信号とのマッピング関係は、前記送信機と前記受信機によって予め指定され、
または、さらに、
復調参照信号と位相追跡参照信号とのマッピング関係を前記送信機から前記受信機に伝送することを含む請求項１〜３のいずれか一項に記載の方法。
【請求項８】
前記復調参照信号と位相追跡参照信号とのマッピング関係として、
１つの位相追跡参照信号に少なくとも１つの復調参照信号が対応付けられ、対応関係を有する位相追跡参照信号と復調参照信号とは、同一のアンテナセットで伝送され、
位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである請求項７に記載の方法。
【請求項９】
位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、
位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる請求項８に記載の方法。
【請求項１０】
受信機が、送信機から伝送されたデータ信号を受信することと、
前記受信機が、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することと、
前記受信機が、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することと、
受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることと、
前記受信機が、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することと、
前記受信機が、前記チャネル情報を用いて前記データ信号を復調してユーザデータを得ることとを含む参照信号伝送方法。
【請求項１１】
前記受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることは、
受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することと、
前記受信機が、各位相追跡参照信号から推定されたチャネルと、各々の位相追跡参照信号に対応する復調参照信号から推定されたチャネルを比較して、各位相追跡参照信号に対応する位相変化情報を得ることと、
前記受信機が、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得ることとを含む請求項１０に記載の方法。
【請求項１２】
前記マッピング関係は、前記送信機と前記受信機によって予め指定され、
または、さらに、
前記受信機が、前記送信機から伝送された前記マッピング関係を受信することを含む請求項１１に記載の方法。
【請求項１３】
前記受信機が補償チャネル推定行列と取得済みの第２プリコーディング行列とに基づいてチャネル情報を取得することは、
前記受信機が、前記補償チャネル推定行列と、取得済みの第２プリコーディング行列を乗算してチャネル情報を得ることを含む請求項１０〜１２のいずれか一項に記載の方法。
【請求項１４】
前記第２プリコーディング行列の情報は、前記送信機と前記受信機によって予め指定され、
または、さらに、
前記受信機が、前記送信機から伝送された前記第２プリコーディング行列の情報を受信すること、または、前記受信機が、データ帯域幅での前記第２プリコーディング行列の使用ルールを前記送信機から受信し、前記ルールに基づいて前記第２プリコーディング行列を取得することを含む請求項１３に記載の方法。
【請求項１５】
第２プリコーディング行列でユーザデータのテータストリームにプリコーディングを行ってＤ（１以上の整数）個の仮想テータストリームを得ることに用いられる符号化モジュールと、
第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することに用いられる第１伝送モジュールと、
各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送することに用いられる第２伝送モジュールと、
前記Ｔ個のアンテナセットで１つまたは複数の位相雑音ソースから引き起こされる位相変化を追跡するためのＭ（１以上の整数）個の位相追跡参照信号を前記受信機に伝送することに用いられる第３伝送モジュールとを含む送信機。
【請求項１６】
各仮想テータストリームは、プリコーディングされて１つまたは複数のアンテナセットで伝送され、かつ同一の仮想テータストリームに用いられる１つまたは複数のアンテナセットは、同一の位相雑音を有する請求項１５に記載の送信機。
【請求項１７】
各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である請求項１６に記載の送信機。
【請求項１８】
各位相追跡参照信号は、プリコーディングされて１つまたは複数のアンテナセットで伝送され、かつ同一の位相追跡参照信号に用いられる１つまたは複数のアンテナセットは、同一の位相雑音を有する請求項１５〜１７のいずれか一項に記載の送信機。
【請求項１９】
各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である請求項１８に記載の送信機。
【請求項２０】
前記第２プリコーディング行列の情報は、前記送信機と前記受信機によって予め指定され、
または、さらに、
前記第２プリコーディング行列の情報を前記受信機に伝送することに用いられる第４伝送モジュール、または、データ帯域幅での前記第２プリコーディング行列の使用ルールを前記受信機に伝送することに用いられる第５伝送モジュールを含む請求項１５〜１７のいずれか一項に記載の送信機。
【請求項２１】
復調参照信号と位相追跡参照信号とのマッピング関係は、前記送信機と前記受信機によって予め指定され、
または、
復調参照信号と位相追跡参照信号とのマッピング関係を前記受信機に伝送することに用いられる第６伝送モジュールをさらに含む請求項１５〜１７のいずれか一項に記載の送信機。
【請求項２２】
前記復調参照信号と位相追跡参照信号とのマッピング関係として、
１つの位相追跡参照信号に少なくとも１つの復調参照信号が対応付けられ、対応関係を有する位相追跡参照信号と復調参照信号とは、同一のアンテナセットで伝送され、
位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである請求項２１に記載の送信機。
【請求項２３】
位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、
位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる請求項２２に記載の送信機。
【請求項２４】
受信機であって、
送信機から伝送されたデータ信号を受信することに用いられる第１受信モジュールと、
前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することに用いられる第２受信モジュールと、
前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することに用いられる第３受信モジュールと、
受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることに用いられるチャネル推定モジュールと、
位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することに用いられる取得モジュールと、
前記チャネル情報を用いて前記データ信号を復調してユーザデータを得ることに用いられる復調モジュールとを含む受信機。
【請求項２５】
前記チャネル推定モジュールは、
受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することに用いられる特定ユニットと、
各位相追跡参照信号から推定されたチャネルと、各々の位相追跡参照信号に対応する復調参照信号から推定されたチャネルを比較して、各位相追跡参照信号に対応する位相変化情報を得ることに用いられるチャネル推定ユニットと、
各位相追跡参照信号に対応する位相変化情報に基づいて、各々の位相追跡参照信号に対応する復調参照信号から推定されたチャネルに対し位相雑音補償を行って、位相追跡参照信号の位置するシンボルでの各復調参照信号の補償チャネル推定を得ることに用いられる補償ユニットとを含む請求項２４に記載の受信機。
【請求項２６】
前記マッピング関係は、前記送信機と前記受信機によって予め指定され、
または、
前記送信機から伝送された前記マッピング関係を受信することに用いられる第４受信モジュールをさらに含む請求項２５に記載の受信機。
【請求項２７】
前記取得モジュールは、
前記補償チャネル推定行列と、取得済みの第２プリコーディング行列を乗算してチャネル情報を得ることに用いられる請求項２４〜２６のいずれか一項に記載の受信機。
【請求項２８】
前記第２プリコーディング行列の情報は、前記送信機と前記受信機によって予め指定され、
または、
前記送信機から伝送された前記第２プリコーディング行列の情報を受信することに用いられる第５受信モジュール、または、データ帯域幅での前記第２プリコーディング行列の使用ルールを前記送信機から受信し、前記ルールに基づいて前記第２プリコーディング行列を取得することに用いられる第６受信モジュールをさらに含む請求項２７に記載の受信機。
【請求項２９】
プロセッサと、バスインタフェースを介してプロセッサに接続されるメモリと、バスインタフェースを介してプロセッサに接続されるトランシーバとを含む送信機において、
前記プロセッサは、前記メモリからプログラムを読み取ることによって、
第２プリコーディング行列でユーザデータのテータストリームにプリコーディングを行ってＤ（１以上の整数）個の仮想テータストリームを得ることと、
第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することと、
各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送することと、
前記Ｔ個のアンテナセットで１つまたは複数の位相雑音ソースから引き起こされる位相変化を追跡するためのＭ（１以上の整数）個の位相追跡参照信号を前記受信機に伝送することとを実行することに用いられ、
前記トランシーバは、データの送受信に用いられ、
前記メモリは、前記プロセッサによる操作実行に用いられるデータを保存することに用いられる送信機。
【請求項３０】
プロセッサと、バスインタフェースを介してプロセッサに接続されるメモリと、バスインタフェースを介してプロセッサに接続されるトランシーバとを含む受信機において、
前記プロセッサは、前記メモリからプログラムを読み取ることによって、
送信機から伝送されたデータ信号を受信することと、
前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することと、
前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することと、
受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることと、
位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することと、
前記チャネル情報を用いて前記データ信号を復調してユーザデータを得ることとを実行することに用いられ、
前記トランシーバは、データの送受信に用いられ、
前記メモリは、前記プロセッサによる操作実行に用いられるデータを保存することに用いられる受信機。
【発明の詳細な説明】
【技術分野】
【０００１】
本願は、２０１６年１２月２８日に中国特許庁に提出された中国特許出願２０１６１１２３６１３７．２の優先権を主張し、その全ての内容が援用によりここに取り込まれる。
本開示は、通信技術分野に係り、特に参照信号伝送方法、送信機および受信機に係る。
【背景技術】
【０００２】
通常、通信システムの信号伝送中に位相雑音が存在するが、送信機および受信機の局部発振器からの位相雑音は、マルチキャリア信号の伝送に影響を与える。高周波帯域（たとえば６ＧＨｚ以上）では、位相雑音の影響がより深刻になる。しかし、将来の通信システムでは、より多くの高周波帯域のリソースがデータ伝送に用いられる。たとえば、将来の５Ｇでは、高周波帯域（たとえば６ＧＨｚ〜１００ＧＨｚ）のリソースがデータ通信に用いられ、将来の６Ｇでは、同様に高周波帯域のリソースがデータ通信に用いられうる。高周波帯域では位相雑音がより深刻に影響を及ぼすため、位相雑音の影響を低下させることは、現在の解決が急がれる技術問題であることが分かる。
【発明の概要】
【発明が解決しようとする課題】
【０００３】
本開示は、位相雑音の影響を低下させることのできる参照信号伝送方法、送信機および受信機を提供する。
【課題を解決するための手段】
【０００４】
本開示の実施例は、参照信号伝送方法を提供する。当該方法は、送信機が、第２プリコーディング行列でユーザデータのテータストリームにプリコーディングを行ってＤ（１以上の整数）個の仮想テータストリームを得ることと、前記送信機が、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することと、各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記送信機から前記受信機に伝送することと、前記Ｔ個のアンテナセットで１つまたは複数の位相雑音ソースから引き起こされる位相変化を追跡するためのＭ（１以上の整数）個の位相追跡参照信号を前記送信機から前記受信機に伝送することとを含む。
【０００５】
選択可能に、各仮想テータストリームは、プリコーディングされて１つまたは複数のアンテナセットで伝送され、かつ同一の仮想テータストリームに用いられる１つまたは複数のアンテナセットは、同一の位相雑音を有する。
【０００６】
選択可能に、各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である。
【０００７】
選択可能に、各位相追跡参照信号は、プリコーディングされて１つまたは複数のアンテナセットで伝送され、かつ同一の位相追跡参照信号に用いられる１つまたは複数のアンテナセットは、同一の位相雑音を有する。
【０００８】
選択可能に、各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である。
【０００９】
選択可能に、前記第２プリコーディング行列の情報は、前記送信機と前記受信機によって予め指定され、または、前記方法は、前記第２プリコーディング行列の情報を前記送信機から前記受信機に伝送すること、または、データ帯域幅での前記第２プリコーディング行列の使用ルールを前記送信機から前記受信機に伝送することをさらに含む。
【００１０】
選択可能に、復調参照信号と位相追跡参照信号とのマッピング関係は、前記送信機と前記受信機によって予め指定され、または、前記方法は、復調参照信号と位相追跡参照信号とのマッピング関係を前記送信機から前記受信機に伝送することをさらに含む。
【００１１】
選択可能に、前記復調参照信号と位相追跡参照信号とのマッピング関係として、１つの位相追跡参照信号に少なくとも１つの復調参照信号が対応付けられ、対応関係を有する位相追跡参照信号と復調参照信号とは、同一のアンテナセットで伝送され、位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである。
【００１２】
選択可能に、位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる。
【００１３】
本開示の実施例は、さらに参照信号伝送方法を提供する。当該方法は、受信機が、送信機から伝送されたデータ信号を受信することと、前記受信機が、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することと、前記受信機が、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することと、受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることと、前記受信機が、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することと、前記受信機が、前記チャネル情報を用いて前記データ信号を復調してユーザデータを得ることとを含む。
【００１４】
選択可能に、前記受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることは、受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することと、前記受信機が、各位相追跡参照信号から推定されたチャネルと、各々の位相追跡参照信号に対応する復調参照信号から推定されたチャネルを比較して、各位相追跡参照信号に対応する位相変化情報を得ることと、前記受信機が、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得ることとを含む。
【００１５】
選択可能に、前記マッピング関係は、前記送信機と前記受信機によって予め指定され、または、前記方法は、前記受信機が、前記送信機から伝送された前記マッピング関係を受信することをさらに含む。
【００１６】
選択可能に、前記受信機が補償チャネル推定行列と取得済みの第２プリコーディング行列とに基づいてチャネル情報を取得することは、前記受信機が、前記補償チャネル推定行列と、取得済みの第２プリコーディング行列を乗算してチャネル情報を得ることを含む。
【００１７】
選択可能に、前記第２プリコーディング行列の情報は、前記送信機と前記受信機によって予め指定され、または、前記方法は、前記受信機が、前記送信機から伝送された前記第２プリコーディング行列の情報を受信すること、または、前記受信機が、データ帯域幅での前記第２プリコーディング行列の使用ルールを前記送信機から受信し、前記ルールに基づいて前記第２プリコーディング行列を取得することをさらに含む。
【００１８】
本開示の実施例において、さらに送信機を提供する。当該送信機は、第２プリコーディング行列でユーザデータのテータストリームにプリコーディングを行ってＤ（１以上の整数）個の仮想テータストリームを得ることに用いられる符号化モジュールと、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することに用いられる第１伝送モジュールと、各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送することに用いられる第２伝送モジュールと、前記Ｔ個のアンテナセットで１つまたは複数の位相雑音ソースから引き起こされる位相変化を追跡するためのＭ（１以上の整数）個の位相追跡参照信号を前記受信機に伝送することに用いられる第３伝送モジュールとを含む。
【００１９】
選択可能に、各仮想テータストリームは、プリコーディングされて１つまたは複数のアンテナセットで伝送され、かつ同一の仮想テータストリームに用いられる１つまたは複数のアンテナセットは、同一の位相雑音を有する。
【００２０】
選択可能に、各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である。
【００２１】
選択可能に、各位相追跡参照信号は、プリコーディングされて１つまたは複数のアンテナセットで伝送され、かつ同一の位相追跡参照信号に用いられる１つまたは複数のアンテナセットは、同一の位相雑音を有する。
【００２２】
選択可能に、各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である。
【００２３】
選択可能に、前記第２プリコーディング行列の情報は、前記送信機と前記受信機によって予め指定され、または、前記送信機は、前記第２プリコーディング行列の情報を前記受信機に伝送することに用いられる第４伝送モジュール、または、データ帯域幅での前記第２プリコーディング行列の使用ルールを前記受信機に伝送することに用いられる第５伝送モジュールをさらに含む。
【００２４】
選択可能に、復調参照信号と位相追跡参照信号とのマッピング関係は、前記送信機と前記受信機によって予め指定され、または、前記送信機は、復調参照信号と位相追跡参照信号とのマッピング関係を前記受信機に伝送することに用いられる第６伝送モジュールをさらに含む。
【００２５】
選択可能に、前記復調参照信号と位相追跡参照信号とのマッピング関係として、１つの位相追跡参照信号に少なくとも１つの復調参照信号が対応付けられ、対応関係を有する位相追跡参照信号と復調参照信号とは、同一のアンテナセットで伝送され、位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである。
【００２６】
選択可能に、位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる。
【００２７】
本開示の実施例は、さらに受信機を提供する。当該受信機は、送信機から伝送されたデータ信号を受信することに用いられる第１受信モジュールと、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することに用いられる第２受信モジュールと、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することに用いられる第３受信モジュールと、受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることに用いられるチャネル推定モジュールと、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することに用いられる取得モジュールと、前記チャネル情報を用いて前記データ信号を復調してユーザデータを得ることに用いられる復調モジュールとを含む。
【００２８】
選択可能に、前記チャネル推定モジュールは、受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することに用いられる特定ユニットと、各位相追跡参照信号から推定されたチャネルと、各々の位相追跡参照信号に対応する復調参照信号から推定されたチャネルを比較して、各位相追跡参照信号に対応する位相変化情報を得ることに用いられるチャネル推定ユニットと、各位相追跡参照信号に対応する位相変化情報に基づいて、各々の位相追跡参照信号に対応する復調参照信号から推定されたチャネルに対し位相雑音補償を行って、位相追跡参照信号の位置するシンボルでの各復調参照信号の補償チャネル推定を得ることに用いられる補償ユニットとを含む。
【００２９】
選択可能に、前記マッピング関係は、前記送信機と前記受信機によって予め指定され、または、前記受信機は、前記送信機から伝送された前記マッピング関係を受信することに用いられる第４受信モジュールをさらに含む。
【００３０】
選択可能に、前記取得モジュールは、前記補償チャネル推定行列と、取得済みの第２プリコーディング行列を乗算してチャネル情報を得ることに用いられる。
【００３１】
選択可能に、前記第２プリコーディング行列の情報は、前記送信機と前記受信機によって予め指定され、または、前記受信機は、前記送信機から伝送された前記第２プリコーディング行列の情報を受信することに用いられる第５受信モジュール、または、データ帯域幅での前記第２プリコーディング行列の使用ルールを前記送信機から受信し、前記ルールに基づいて前記第２プリコーディング行列を取得することに用いられる第６受信モジュールをさらに含む。
【発明の効果】
【００３２】
本開示の実施例において、送信機は、第２プリコーディング行列でユーザデータのテータストリームにプリコーディングを行ってＤ個の仮想テータストリームを得る。送信機は、第１プリコーディング行列で前記Ｄ個の仮想テータストリームにプリコーディングを行い、各々が同一の位相雑音を有する１つまたは複数のアンテナユニットまたはアンテナポートを含むＴ個のアンテナセットによって、プリコーディング後のＤ個の仮想テータストリームを受信機に伝送する。前記送信機は、Ｄ個の復調参照信号を前記受信機に伝送する。ここで、各復調参照信号は、１つの仮想テータストリームに対応し、対応する仮想テータストリームとは同一のアンテナセットで伝送される。各復調参照信号に用いられるプリコーディングベクトルと、当該復調参照信号の位置するサブキャリアで、対応する仮想テータストリームに用いられる前記第１プリコーディング行列でのプリコーディングベクトルとは同一である。前記送信機は、前記Ｔ個のアンテナセットで１つまたは複数の位相雑音ソースから引き起こされる位相変化を追跡するためのＭ個の位相追跡参照信号を前記受信機に伝送する。送信機から位相追跡参照信号が送信されるため、受信機は、受信した位相追跡参照信号で位相補償を行うことによって、位相雑音の影響を低下させる。
【図面の簡単な説明】
【００３３】
【図１】図１は、本開示の実施例におけるネットワーク構造図である。
【図２】図２は、本開示の実施例における参照信号伝送方法のフローチャートである。
【図３】図３は、本開示の実施例における参照信号サブキャリア分布図である。
【図４】図４は、本開示の実施例における信号伝送図である。
【図５】図５は、本開示の実施例における別の参照信号サブキャリア分布図である。
【図６】図６は、本開示の実施例における別の信号伝送図である。
【図７】図７は、本開示の実施例における送信機の構造図である。
【図８】図８は、本開示の実施例における別の送信機の構造図である。
【図９】図９は、本開示の実施例における別の送信機の構造図である。
【図１０】図１０は、本開示の実施例における別の送信機の構造図である。
【図１１】図１１は、本開示の実施例における受信機の構造図である。
【図１２】図１２は、本開示の実施例における別の受信機の構造図である。
【図１３】図１３は、本開示の実施例における別の受信機の構造図である。
【図１４】図１４は、本開示の実施例における別の受信機の構造図である。
【図１５】図１５は、本開示の実施例における別の送信機の構造図である。
【図１６】図１６は、本開示の実施例における別の受信機の構造図である。
【発明を実施するための形態】
【００３４】
本開示の技術手段と利点をより明確にするために、以下、図面および具体的な実施例を通じて詳細に記載する。
【００３５】
図１を参照する。図１は、本開示の実施例の応用可能なネットワーク構造図である。図１に示すように、データを伝送（または送信）する機器として理解される送信機１１と、データを受信する機器として理解される受信機１２が含まれる。ここの図面には、送信機１１がネットワーク側機器であり、受信機１２がユーザ機器であることを例としているが、本開示の実施例において、送信機１１がユーザ機器であってもよく、かつ送信機１１がユーザ機器である場合に受信機１２がネットワーク側機器またはユーザ機器であり、または、送信機１１がネットワーク側機器である場合に受信機１２がユーザ機器またはネットワーク側機器である。また、本開示の実施例において、ユーザ機器は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタント（ＰＤＡ）（ｐｅｒｓｏｎａｌ  ｄｉｇｉｔａｌ  ａｓｓｉｓｔａｎｔ）、モバイルインターネットデバイス（ＭＩＤ）（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、送信機１１の具体的な種類を限定しない。ネットワーク側機器は、ＴＲＰ（Ｔｒａｎｓｍｉｓｓｉｏｎ  Ｒｅｃｅｐｔｉｏｎ  Ｐｏｉｎｔ）または基地局である。基地局は、たとえばＬＴＥ  ｅＮＢ、５Ｇ  ＮＲ  ＮＢなどのマクロ基地局である。または、ネットワーク側機器は、ＡＰ（ａｃｃｅｓｓ  ｐｏｉｎｔ）である。なお、本開示の実施例では、ネットワーク側機器の具体的な種類を限定しない。
【００３６】
図２は、本開示の実施例における参照信号伝送方法を示す。図２に示すように、下記ステップ２０１〜２０４を含む。
ステップ２０１において、送信機は、第２プリコーディング行列でユーザデータのテータストリームにプリコーディングを行ってＤ（１以上の整数）個の仮想テータストリームを得る。
ステップ２０２において、送信機は、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送する。
ステップ２０３において、送信機は、Ｄ個の復調参照信号ＤＭＲＳ（Ｄｅ  Ｍｏｄｕｌａｔｉｏｎ  Ｒｅｆｅｒｅｎｃｅ  Ｓｉｇｎａｌ）を前記受信機に伝送する。ここで、各復調参照信号に用いられるプリコーディングベクトルと、当該復調参照信号の位置するサブキャリアで、対応する仮想テータストリームに用いられる前記第１プリコーディング行列でのプリコーディングベクトルとは同一であり、各復調参照信号は、対応する仮想テータストリームとは同一のアンテナセットで伝送される。
ステップ２０４において、送信機は、前記Ｔ個のアンテナセットで１つまたは複数の位相雑音ソースから引き起こされる位相変化を追跡するためのＭ（１以上の整数）個の位相追跡参照信号ＰＴＲＳ（Ｐｈａｓｅ  ｔｒａｃｋｉｎｇ  Ｒｅｆｅｒｅｎｃｅ  Ｓｉｇｎａｌ）を前記送信機から前記受信機に伝送する。
【００３７】
本開示の実施例において、上記ユーザデータは、アップリンクデータやダウンリンクデータなど、送信機と受信端末との間で伝送されるあらゆるデータである。
【００３８】
本開示の実施例において、テータストリームの伝送前に、第２プリコーディング行列に対応する符号化をユーザデータのテータストリームに行うことによって上記Ｄ個の仮想テータストリームを得ることが実現される。たとえば、ユーザ機器のＲ個のテータストリームに対し第２プリコーディング行列に対応する符号化を行うことによって、上記Ｄ個の仮想テータストリームを得る。このように、ユーザデータの第２プリコーディング行列によるポーリングが実現され、高速の環境でデータ伝送を行うことによって、伝送性能を向上させる。
【００３９】
上記Ｄ個の仮想テータストリームは、上記ユーザ機器にプリコーディングを行って得たＤ個のテータストリームである。また、上記Ｄは、上記Ｔ以上であり、もちろん、Ｔより小さくてもよいが、限定されない。
【００４０】
本開示の実施例において、予め送信機のアンテナをＴ個のアンテナセットに区分し、かつ各アンテナセットの各アンテナユニットまたはアンテナポートの位相雑音が同一であるが、異なるアンテナセットのアンテナユニットまたはアンテナポートの位相雑音が異なってもよい。もちろん、一部のアンテナセットの位相雑音が同一であってもよいが、これについて、本開示の実施例において限定しない。たとえば、２セットを例とすると、アンテナセット１の各アンテナユニットまたはアンテナポートの位相雑音が同一であり、アンテナセット２のアンテナユニットまたはアンテナポートの位相雑音が同一であるが、アンテナセット１のアンテナユニットの位相雑音とアンテナセット２のアンテナユニットの位相雑音とは異なる。または、３セットの場合、たとえばアンテナセット１のアンテナユニットの位相雑音とアンテナセット３のアンテナユニットの位相雑音とは異なる。
【００４１】
上記のプリコーディング後の前記Ｄ個の仮想テータストリームをＴ個のアンテナセットによって受信機に伝送することは、上記の第１プリコーディング行列によりプリコーディングされたＤ個の仮想テータストリームをＴ個のアンテナセットによって伝送することである。各仮想テータストリームは、１つまたは複数のアンテナセットで伝送される。かつ同一の仮想テータストリームに用いられる１つまたは複数のアンテナセットは、同一の位相雑音を有する。また、異なるアンテナセットで伝送される仮想テータストリームに用いられる第１プリコーディング行列でのプリコーディングベクトルが異なり、すなわち、各仮想テータストリームに用いられる第１プリコーディング行列でのプリコーディングベクトルと、当該仮想テータストリームに用いられるアンテナセットとは対応する。
【００４２】
上記の送信機がＤ個の復調参照信号を前記受信機に伝送することは、送信機から仮想テータストリーム毎に、対応する復調参照信号を伝送し、かつ各復調参照信号に用いられるプリコーディングベクトルと、当該復調参照信号の位置するサブキャリアで、対応する仮想テータストリームに用いられる第１プリコーディング行列でのプリコーディングベクトルとは同一であり、各復調参照信号と、対応する仮想テータストリームとは、同一のアンテナセットで伝送される。すなわち、第ｉ（１〜Ｄの任意の整数）個の復調参照信号に用いられるプリコーディングと、第ｉ個の復調参照信号の位置するサブキャリアで、第ｉ個の仮想テータストリームに用いられる第１プリコーディングとは同一であり、第ｉ個の復調参照信号と第ｉ個の仮想テータストリームとは同一のアンテナセットで伝送される。たとえば、復調参照信号１と仮想テータストリーム１とは対応するが、復調参照信号１に用いられるアンテナセットと、第１プリコーディングおよび仮想テータストリーム１に用いられるアンテナセットとは同一であり、かつ復調参照信号１に用いられるプリコーディングと、復調参照信号１の位置するサブキャリアで、仮想テータストリーム１に用いられる第１プリコーディングとは同一である。
【００４３】
本開示の実施例において、前記Ｔ個のアンテナセットで１つまたは複数の位相雑音ソースから引き起こされる位相変化を追跡するための上記Ｍ個の位相追跡参照信号について、各位相追跡参照信号は、１つまたは複数のアンテナセットに対応し、対応するアンテナセットで、１つまたは複数の位相雑音ソースから引き起こされる位相変化を追跡することに用いられる。すなわち、受信機は、Ｍ個の位相追跡参照信号を受信すると、各アンテナセットの位相雑音を推定する。ここで、アンテナセットの位相雑音は、アンテナセットで信号を伝送する際に異なるシンボルでの位相の変化と理解できる。なお、本開示の実施例において、位相追跡参照信号について限定せず、当該参照信号は、アンテナユニットまたはアンテナポートによる伝送の各シンボルでの位相変化を追跡可能なあらゆる参照信号であり、復調参照信号のように、ユーザデータの伝送時に用いられ、プリコーディングされて伝送されてもよい。
【００４４】
上記の送信機から前記受信機にＭ個の位相追跡参照信号を伝送することは、各位相追跡参照信号が１つまたは複数のアンテナセットで伝送され、かつ同一の位相追跡参照信号に用いられる１つまたは複数のアンテナセットに同一の位相雑音を有する。このように、受信機は、受信した位相追跡参照信号に基づいて、各アンテナセットで送信された復調参照信号から推定されたチャネルに対し位相補償を行い、位相追跡参照信号の位置するシンボルでの各復調参照信号の補償チャネル推定を得、補償チャネル推定に基づいてチャネル情報を取得し、当該チャネル情報を用いて、受信したデータ信号を復調して上記ユーザデータを得ることができる。このように、位相雑音によるユーザデータへの影響を低下させ、場合によって位相雑音によるユーザデータへの影響をなくすことができ、データの正しい伝送を保証することができる。
【００４５】
なお、本開示の実施例において、ステップ２０１〜ステップ２０４の実行順序を限定しない。ここで、図面では、ステップ２０１、２０２、２０３、２０４の順番を例として説明したが、本開示の実施例ではこれについて限定しない。たとえば、本開示の実施例において、ステップ２０３を実行してからステップ２０１とステップ２０２を実行し、ステップ２０４をステップ２０２と同時に実行してもよい。または、ステップ２０３とステップ２０４を同時に実行してからステップ２０１とステップ２０２を実行してもよい。ここで、上記仮想テータストリーム、復調参照信号および位相追跡参照信号は、同一のサブフレームまたは同一のスロット（ｓｌｏｔ）で伝送されるが、本開示の実施例ではこれについて限定しない。
【００４６】
ここで、受信機の実現過程は、以下である。
受信機は、送信機から伝送されたデータ信号を受信する。
前記受信機は、前記送信機から伝送された復調参照信号を受信し、受信した各復調参照信号のチャネルを推定する。ここで、前記受信機の受信アンテナユニットまたはアンテナポートの各々がＤ（１以上の整数）個の復調参照信号を受信する。
前記受信機は、前記送信機から伝送された位相追跡参照信号を受信し、受信した各位相追跡参照信号のチャネルを推定する。ここで、前記受信機の受信アンテナユニットまたはアンテナポートの各々がＭ（１以上の整数）個の位相追跡参照信号を受信する。
受信アンテナユニットまたはアンテナポート毎に、前記受信機は、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得る。
前記受信機は、補償チャネル推定行列と、取得済みの第２プリコーディング行列とに基づいてチャネル情報を取得する。ここで、前期補償チャネル推定行列は、位相追跡参照信号の位置するシンボルでの、各受信アンテナユニットまたはアンテナポートで受信された各復調参照信号の補償チャネル推定を含む。
前記受信機は、前記チャネル情報を用いて前記データ信号を復調してユーザデータを得る。
【００４７】
ここで、上記データ信号は、受信機の受信信号と称されてもよく、すなわち送信機がステップ２０１を実行した後に、受信機が受信した受信信号である。
【００４８】
なお、受信機に複数の受信アンテナユニットまたはアンテナポートが存在してもよいが、受信機ではそれのグループ分けをせず、受信アンテナユニットまたはアンテナポートの各々は、Ｄ個の復調参照信号とＭ個の位相追跡参照信号を受信する。よって、受信した各復調参照信号のチャネルを推定すること、および、受信した各位相追跡参照信号のチャネルを推定することができる。
【００４９】
このように、受信アンテナユニットまたはアンテナポート毎に、当該受信アンテナユニットまたはアンテナポートを介してＭ個の位相追跡参照信号を受信し、受信したＤ個の復調参照信号から推定されたチャネルに対し位相補償を行い、当該位相追跡参照信号の位置するシンボルでの各復調参照信号の補償チャネル推定を得る。ここで、受信したＤ個の復調参照信号から推定されたチャネルに対し位相補償を行い、位相追跡参照信号の位置するシンボルでの各復調参照信号の補償チャネル推定を得ることは、位相追跡参照信号から推定されたチャネルによって、それに対応する復調参照信号から推定されたチャネルに対し位相雑音推定を行い、推定された位相雑音に基づいて、復調参照信号から推定されたチャネルに対し位相補償を行うことによって、対応する位相追跡参照信号の位置するシンボルでの復調参照信号の補償チャネル推定を得る。Ｍ個の位相追跡参照信号が、前記Ｔ個のアンテナセットで１つまたは複数の位相雑音ソースから引き起こされる位相変化を追跡するためのものであり、各アンテナセットから復調参照信号が送信されるため、各位相追跡参照信号に対し、対応する復調参照信号が存在し、さらに、各位相追跡参照信号によって、それに対応する復調参照信号から推定されたチャネルに対し位相補償を行い、対応する位相追跡参照信号の位置するシンボルでの各復調参照信号の補償チャネル推定を得る。
【００５０】
位相追跡参照信号の位置するシンボルでの各復調参照信号の補償チャネル推定を得ると、補償チャネル推定行列と、取得済みの第２プリコーディング行列とに基づいてチャネル情報を取得することができる。たとえば、前記補償チャネル推定行列と、取得済みの第２プリコーディング行列に対し、所定の演算をしてチャネル情報を得る。当該所定の演算は、前記補償チャネル推定行列と、取得済みの第２プリコーディング行列を乗算することを含むが、それに限られない。このように、当該チャネル情報でデータ信号を復調し、位相雑音によるユーザデータへの影響をなくすことができる。また、当該チャネル情報は、ユーザデータが経る完全なチャネル情報と理解されてもよく、１つの行列として表現されてもよい。このように、受信機が当該チャネル情報を用いて前記データ信号を復調してユーザデータを得ることによって、位相雑音によるユーザデータへの影響を低下させ、場合によって位相雑音によるユーザデータへの影響をなくすことができ、データの正しい伝送を保証することができる。
【００５１】
なお、本開示の実施例において、受信アンテナユニットまたはアンテナポートは、受信しかできないことに限定されず、送信してもよい。受信機に対し本開示の実施例において記載されたのは受信に関する動作であるため、受信アンテナユニットまたは無線ポートとして記載したが、限定しない。
【００５２】
選択可能に、本開示の実施例において、各仮想テータストリームは、プリコーディングされて１つまたは複数のアンテナセットで伝送され、かつ同一の仮想テータストリームに用いられる１つまたは複数のアンテナセットは、同一の位相雑音を有する。
【００５３】
当該実施形態において、同一の仮想テータストリームが１つまたは複数のアンテナセットで伝送され、かつ当該１つまたは複数のアンテナセットに同一の位相雑音を有することが実現され、受信機による位相補償に有利であり、さらに位相雑音の影響をなくす。
【００５４】
また、当該実施形態において、各仮想テータストリームに用いられる第１プリコーディングは、それを伝送するアンテナセットに対応する。たとえば、仮想テータストリーム１がアンテナセット１で伝送されるが、仮想テータストリーム１に用いられる第１プリコーディングは、アンテナセット１に対応する。仮想テータストリーム２がアンテナセット２で伝送されるが、仮想テータストリーム２に用いられる第１プリコーディングは、アンテナセット２に対応する。各仮想テータストリームに用いられる第１プリコーディングが各自の伝送のアンテナセットに対応することによって、各仮想テータストリームの位相雑音の影響は、対応するアンテナセットの位相雑音の影響に限られ、ほかのアンテナセットの影響を受けない。
【００５５】
選択可能に、当該実施形態において、各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である。
【００５６】
当該実施形態において、各仮想テータストリームに用いられる第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値がすべて０であることが実現される。すなわち、ステップ２０２で各仮想テータストリームのプリコーディングの際に、用いられる第１プリコーディング行列でのプリコーディングベクトルのうち、自身の伝送のアンテナセットに対応する重み値を除き、残りのアンテナユニットまたはアンテナポートに対応する重み値は、すべて０である。第１プリコーディング行列でのプリコーディングベクトルのうち、自身の伝送のアンテナセットに対応する重み値は、当該アンテナセットの各アンテナユニットまたはアンテナポートの重み値である。当該重み値は、受信機からフィードバックされ、または、アップリンク／ダウンリンク互換性に基づいて送信機によって特定される。このように、各仮想テータストリームが、自身の伝送に用いられるアンテナセットの位相雑音の影響のみを受けることが実現され、アンテナセット毎に、対応する位相追跡参照信号が伝送されるため、受信機は、各復調信号の位相雑音を推定して、位相雑音によるユーザデータへの影響をなくすことができる。
【００５７】
選択可能に、各位相追跡参照信号は、プリコーディングされて１つまたは複数のアンテナセットで伝送され、かつ同一の位相追跡参照信号に用いられる１つまたは複数のアンテナセットは、同一の位相雑音を有する。
【００５８】
当該実施形態において、各位相追跡参照信号が１つまたは複数のアンテナセットで伝送され、かつ当該１つまたは複数のアンテナセットに同一の位相雑音を有することが実現されることによって、１つの位相雑音ソースから引き起こされる位相雑音を１つの位相追跡参照信号で追跡することが実現され、受信機が各アンテナセットの位相変化を推定し、さらに位相雑音の影響をなくすことに有利である。
【００５９】
選択可能に、当該実施形態において、各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である。
【００６０】
当該実施形態において、各位相追跡参照信号に用いられるプリコーディングベクトルのうち、当該位相追跡参照信号の伝送に用いられる１つまたは複数のアンテナセットに対応する重み値を除き、残りのアンテナセットのアンテナユニットまたはアンテナポートに対応する重み値がすべて０であることが実現される。すなわち、各位相追跡参照信号のプリコーディングの際に用いられるプリコーディングベクトルのうち、自身の伝送のアンテナセットを除いた残りのアンテナユニットまたはアンテナポートに対応する重み値は、すべて０である。プリコーディングで自身の伝送のアンテナセットに対応する重み値は、当該アンテナセットの各アンテナユニットまたはアンテナポートの重み値である。当該重み値は、受信機からフィードバックされ、または、アップリンク／ダウンリンク互換性に基づいて送信機によって特定される。このように、各位相追跡参照信号が、自身の伝送に用いられるアンテナセットの位相雑音の影響のみを受けることが実現され、自身の伝送に用いられるアンテナセットの位相の変化を効果的に追跡し、位相雑音によるユーザデータへの影響をなくすことに有利である。
【００６１】
選択可能に、本開示の実施例において、前記第２プリコーディング行列の情報は、前記送信機と前記受信機によって予め指定され、または、前記方法は、前記第２プリコーディング行列の情報を前記送信機から前記受信機に伝送すること、または、データ帯域幅での前記第２プリコーディング行列の使用ルールを前記送信機から前記受信機に伝送することをさらに含む。
【００６２】
当該実施形態において、送信機は、上記第２プリコーディング行列を、ハイレイヤシグナリングまたは動的制御シグナリングなどの方式で受信機に知らせる。さらに、データ帯域幅での第２プリコーディング行列の使用ルールを知らせることによって、受信機は、当該ルールに基づいて上記第２プリコーディング行列を取得することもできる。または、上記第２プリコーディング行列は、予め指定される。また、本開示の実施例において、上記第２プリコーディング行列は、送信機がすべてのデータ帯域幅で使用する第２プリコーディング行列である。よって、送信機から受信機に知らせる第２プリコーディング行列も、すべてのデータ帯域幅で使用される第２プリコーディング行列である。
【００６３】
また、当該実施形態において、事前指定方式の場合、送信機は、第２プリコーディング行列の情報およびデータ帯域幅での上記第２プリコーディング行列の使用ルールを受信機に送信せず、伝送コストを減少できる。事前指定方式ではない場合、送信機は、第２プリコーディング行列の情報およびデータ帯域幅での上記第２プリコーディング行列の使用ルールを受信機に送信する。このように、第２プリコーディング行列およびデータ帯域幅での上記第２プリコーディング行列の使用ルールが送信機によって決定されることが実現され、第２プリコーディング行列の柔軟性を向上させ、サービスのニーズにより好適に適応し、サービス性能を向上させることができる。
【００６４】
選択可能に、復調参照信号と位相追跡参照信号とのマッピング関係は、前記送信機と前記受信機によって予め指定され、または、前記方法は、復調参照信号と位相追跡参照信号とのマッピング関係を前記送信機から前記受信機に伝送することをさらに含む。
【００６５】
ここで、送信機は、位相追跡参照信号（ＰＴＲＳ）とＤＭＲＳとのマッピング関係を、ハイレイヤシグナリングまたは動的制御シグナリングなどの方式で受信機に知らせる。ここで、当該マッピング関係は、具体的に、ＰＴＲＳポートとＤＭＲＳポートとのマッピング関係である。ＰＴＲＳとＤＭＲＳがいずれもポートによって伝送されるため、ＰＴＲＳポートとＤＭＲＳポートにマッピング関係が存在すれば、ＰＴＲＳとＤＭＲＳにマッピング関係が存在する。また、本開示の実施例において、１つのＰＴＲＳは、１つのＰＴＲＳポートとして理解されてもよく、１つのＤＭＲＳは、１つのＤＭＲＳポートとして理解されてもよい。
【００６６】
また、当該実施形態において、事前指定方式の場合、送信機は、上記マッピング関係を受信機に送信せず、伝送コストを減少することができる。事前指定方式ではない場合、送信機から上記マッピング関係を受信機に送信する。このように、上記マッピング関係が送信機によって決定されることが実現され、上記マッピング関係の柔軟性を向上させ、サービスのニーズにより好適に適応し、サービス性能を向上させることができる。
【００６７】
また、当該実施形態において、受信機は、上記マッピング関係を受信することによって、各位相追跡参照信号に対応する復調参照信号を正しく特定することができ、さらに位相追跡参照信号から推定されたチャネルで、各々に対応する復調参照信号から推定されたチャネルに対し位相補償を行うことによって、各復調参照信号の位相雑音の影響をなくす。
【００６８】
たとえば、アンテナユニットまたはアンテナポート毎に、受信機は、取得済みの復調参照信号と位相追跡参照信号とのマッピング関係に基づいて、当該アンテナユニットまたはアンテナポートで受信された各位相追跡参照信号に対応する復調参照信号を特定する。受信機は、各位相追跡参照信号から推定されたチャネルと、各々の位相追跡参照信号に対応する復調参照信号から推定されたチャネルを比較して、各位相追跡参照信号に対応する位相変化情報を得る。受信機は、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得る。
【００６９】
たとえば、１つのアンテナポートで１つの位相追跡参照信号を受信したことを例とする。受信機は、上記マッピング関係に基づいて、受信した当該各位相追跡参照信号に対応する復調参照信号を特定することができる。よって、受信機は、当該位相追跡参照信号から推定されたチャネルと、当該位相追跡参照信号に対応する復調参照信号から推定されたチャネルを比較して、当該位相追跡参照信号に対応する位相変化情報を得ることができる。当該位相変化情報は、位相雑音推定と理解される。受信機は、当該位相追跡参照信号に対応する位相変化情報を得ると、当該位相変化情報によって、当該位相追跡参照信号に対応する復調参照信号から推定されたチャネルに対し位相雑音補償を行って、位相追跡参照信号の位置するシンボルでの各復調参照信号の補償チャネル推定を得る。たとえば、当該位相変化情報と復調参照信号から推定されたチャネルを乗算して、当該位相追跡参照信号の位置するシンボルでの補償チャネル推定を得る。
【００７０】
選択可能に、復調参照信号と位相追跡参照信号とのマッピング関係として、１つの位相追跡参照信号に少なくとも１つの復調参照信号が対応付けられ、対応関係を有する位相追跡参照信号と復調参照信号とは、同一のアンテナセットで伝送され、位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである。
【００７１】
当該実施形態において、１つの位相追跡参照信号に少なくとも１つの復調参照信号が対応付けられ、対応関係を有する位相追跡参照信号と復調参照信号とは、同一のアンテナセットで伝送されることが実現される。このように、受信機は、位相追跡参照信号から推定されたチャネルを用いて、それに対応する復調参照信号から推定されたチャネルに対し位相補償を行うことによって、より正しく位相補償を行う。対応関係を有する位相追跡参照信号と復調参照信号とは、同一のアンテナセットで伝送されるからである。
【００７２】
また、位相追跡参照信号に用いられるプリコーディングベクトルが、当該位相追跡参照信号の位置するサブキャリアで、対応する仮想テータストリームに用いられる第１プリコーディング行列でのプリコーディングベクトルに関連するため、受信機が、位相追跡参照信号から推定されたチャネルに基づいて、受信機が受信したデータ信号を復調することによって、位相雑音によるユーザデータへの影響をなくすことに有利である。
【００７３】
選択可能に、位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、位相追跡参照信号が複数の復調参照信号に対応するのであれば、当該位相追跡参照信号に用いられるプリコーディングベクトルは、当該位相追跡参照信号の位置するサブキャリアで、複数の仮想テータストリームに用いられる前記第１プリコーディング行列でのプリコーディングベクトルから演算して得られ、前記複数の仮想テータストリームは、前記複数の復調参照信号に対応する仮想テータストリームである。
【００７４】
当該実施形態において、位相追跡参照信号が１つの復調参照信号に対応する場合、位相追跡参照信号に用いられるプリコーディングベクトルと、当該位相追跡参照信号の位置するサブキャリアで、対応する仮想テータストリームに用いられる第１プリコーディング行列でのプリコーディングベクトルとは同一であるため、位相追跡参照信号と対応する仮想テータストリームが経るチャネル特性が同一であり、受信機が、位相追跡参照信号から推定されたチャネルに基づいて、受信機が受信したデータ信号を復調することによって、位相雑音によるユーザデータへの影響をなくすことに有利である。また、上記の演算は、当該位相追跡参照信号の位置するサブキャリアで、複数の仮想テータストリームに用いられる第１プリコーディングに対し、加算などの所定の演算をするが、これについて、本開示の実施例において限定しない。
【００７５】
なお、本開示の実施例において紹介した多種類の実施形態は、互いに組み合わせて実現されてもよく、単独で実現されてもよいが、本開示の実施例でこれについて限定しない。たとえば以下の例を挙げる。
例１：
【００７６】
伝送されるユーザテータストリームＲ＝２と仮定し、送信機のアンテナアレイのうち、前からＮ１個のアンテナユニットまたはアンテナポートは、同一の位相雑音を有するため、１つの組に分けられ、末尾からＮ−Ｎ１個のアンテナユニットまたはアンテナポートは、同一の位相雑音を有するため、１つの組に分けられる。すなわち、Ｔ＝２である。２組の間では位相雑音が異なるため、Ｍ＝２個のＰＴＲＳポートが必要となる。受信機は、２アンテナまたはアンテナポートで受信する。Ｄ＝２個のＤＭＲＳポートが必要であるとし、参照信号のサブフレーム構成は、図３に示される。ＤＭＲＳは、３つめのＯＦＤＭシンボルに位置し、２つのポートを含み、シンボルで周波数分割多重化される。各ＰＴＲＳ参照信号は、１つのサブキャリア（ＰＴＲＳポート１が５つめのサブキャリアに設定され、ＰＴＲＳポート２が４つめのサブキャリアに設定される）を占め、第４〜１４個のシンボルで連続的に伝送される。第１〜２個のＯＦＤＭは、制御チャネルであり、残りの部分は、ユーザデータである。
【００７７】
送信機側（たとえば基地局側）：
システムの第２プリコーディング行列集合がＳ個の第２プリコーディング行列を有するとし、当該第２プリコーディング行列集合は、基地局側と受信機によって共有される。基地局側は、第２プリコーディング行列集合のうちインデックスｍｏｄ（ｋ，Ｓ）のインデックス値に対応する第２プリコーディング行列を、ユーザデータ帯域幅内の第ｋ個のサブキャリアで使用すると設定する。ｍｏｄは、モジュロ演算である。
ユーザデータのＲ＝２のテータストリームは、以下のＤ×Ｒ次元の第２プリコーディング行列Ｗ２によりプリコーディングされて２個の仮想テータストリームを得ると仮定し、それを、第１仮想テータストリームと第２仮想テータストリームと定義する。当該第２プリコーディング行列は、事前に定義された１つのプリコーディング行列集合から基地局によって選択される。
【数１】
2019537373.tif 000003
第１仮想テータストリームを、送信機の前からＮ１個のアンテナユニットまたはアンテナポートで伝送し、第２仮想テータストリームを、送信機の末尾からＮ−Ｎ１個のアンテナユニットまたはアンテナポートで伝送する。この場合、当該２つの仮想テータストリームに用いられる第１プリコーディング行列は、
【数２】
2019537373.tif 000004
と示される。
ここで、Ｗｋ1,1は、Ｎ１×１の列ベクトルであり、第１仮想テータストリームに用いられるプリコーディングのうち、前からＮ１個のアンテナユニットまたはアンテナポートに対応する重み値に対応する。Ｗｋ2,2は、（Ｎ−Ｎ１）×１の列ベクトルであり、第２仮想テータストリームに用いられるプリコーディングのうち、末尾からＮ−Ｎ１個のアンテナユニットまたはアンテナポートに対応する重み値に対応する。
ＤＭＲＳポート１は、送信機の前からＮ１個のアンテナユニットまたはアンテナポートで伝送され、図３に示すように、サブキャリアｄ１＝２、４、６、８、１０、１２に分布する。サブキャリアｄ１上のＤＭＲＳ１は、当該サブキャリアで第１仮想テータストリームとは同一のプリコーディング
【数３】
2019537373.tif 000005
を使用する。ＤＭＲＳポート２は、送信機の末尾からＮ−Ｎ１個のアンテナユニットまたはアンテナポートで伝送され、図３に示すように、サブキャリアｄ２＝１、３、５、７、９、１１に分布する。サブキャリアｄ２上のＤＭＲＳ２は、当該サブキャリアで第２仮想テータストリームとは同一のプリコーディング
【数４】
2019537373.tif 000006
を使用する。
２つのＰＴＲＳポートは、２つの部分の位相雑音の推定に用いられる。ここでＰＴＲＳポート１は、
【数５】
2019537373.tif 000007
を用いてプリコーディングを行い、ＰＴＲＳポート２は、
【数６】
2019537373.tif 000008
を用いてプリコーディングを行う。ここで、図４は、前記伝送の模式図を示している。
基地局側は、ＰＴＲＳ１をＤＭＲＳ１へ、ＰＴＲＳ２をＤＭＲＳ２へマッピングする情報を、ハイレイヤシグナリングまたは動的制御シグナリングによって端末に知らせる。同時に、基地局側は、第１テータストリームがＤＭＲＳポート１へ、第２テータストリームがＤＭＲＳポート２へマッピングすることを、ハイレイヤシグナリングまたは動的制御シグナリングによって端末に知らせる。
基地局側は、設定済みの各サブキャリアで使用される第２プリコーディング行列の、第２プリコーディング行列集合におけるインデックスを、ハイレイヤシグナリングによって端末に知らせる。
【００７８】
当該例において、受信側（たとえば端末側）：
受信機の２アンテナまたはアンテナポートが異なる位相雑音を有するとすると、第ｌ個のシンボルの第ｋ個のサブキャリアで受信したデータ信号は、
【数７】
2019537373.tif 000009
と示され、さらに、
【数８】
2019537373.tif 000010
と示される。
ここで、チャネルＨk,lとプリコーディングＷk,lは、１つの時間単位（サブフレーム）で一定に保持されるとする。送信機位相雑音行列の対角線において、
【数９】
2019537373.tif 000011
の元素がＮ１個であり、
【数１０】
2019537373.tif 000012
の元素がＮ−Ｎ１個である。
受信機は、３つめのＯＦＤＭシンボルでＤＭＲＳ参照信号を受信する。１つめの受信アンテナユニットまたはアンテナポートを例とすると、ＤＭＲＳポート１から合成チャネル
【数１１】
2019537373.tif 000013
が推定され、かつＤＭＲＳポート２から合成チャネル
【数１２】
2019537373.tif 000014
が推定される。ＤＭＲＳが位置するシンボルにおいて、チャネル補間によって、すべてのサブキャリアのチャネルを推定することができ、図２の仮定に基づき、ここでｋ＝１、２、…、１２である。
受信機は、４つめのＯＦＤＭシンボルから２ポートＰＴＲＳを受信し、ＰＴＲＳポート１で
【数１３】
2019537373.tif 000015
を推定し、ＰＴＲＳポート２で
【数１４】
2019537373.tif 000016
を推定する。
受信機は、送信機からシグナリングによって知らされ、ＰＴＲＳ１−２がそれぞれＤＭＲＳ１〜２に一対一にマッピングする情報を受信する。この情報に基づき、ＰＴＲＳ１のチャネル推定結果をＤＭＲＳ１のチャネル推定結果で除算することによって、１つめの受信アンテナまたはアンテナポート上の第ｌ個のシンボルが第３個のシンボルに対する、送信機の第１組のアンテナユニットまたはアンテナポートが経る位相の変化
【数１５】
2019537373.tif 000017
を得、１つめの受信アンテナまたはアンテナポート上の第ｌ個のシンボルが第３個のシンボルに対する、送信機の第２組のアンテナユニットまたはアンテナポートが経る位相の変化
【数１６】
2019537373.tif 000018
を得る。
よって、１つめの受信アンテナまたはアンテナポートで、第ｌ個のシンボルの第ｋ個のサブキャリア上のチャネル推定
【数１７】
2019537373.tif 000019
を得ることができる。
類似的に、２つめの受信アンテナまたはアンテナポートで、第ｌ個のシンボルの第ｋ個のサブキャリア上のチャネル推定
【数１８】
2019537373.tif 000020
を得ることができる。
送信機からシグナリングによって知らされた第２プリコーディング行列インデックスに基づき、第２プリコーディング行列集合から、第ｋ個のサブキャリアに用いられる第２プリコーディング行列を特定する。上記すべてのアンテナで推定されたチャネル行列と特定済みの第２プリコーディング行列を乗算して、ユーザデータが経る完全なチャネル情報
【数１９】
2019537373.tif 000021
を取得することができる。
以上推定された完全なチャネル情報に基づいて各テータストリームのユーザデータを復調することができる。ほかのサブキャリアについても同様であり、繰り返して記載しない。
例２：
【００７９】
伝送されるユーザテータストリームＲ＝３と仮定し、送信機のアンテナアレイのうち、前からＮ１個のアンテナユニットまたはアンテナポートは、同一の位相雑音を有するため、１つの組に分けられ、末尾からＮ−Ｎ１個のアンテナユニットまたはアンテナポートは、同一の位相雑音を有するため、１つの組に分けられる。すなわち、Ｔ＝２である。２組の間では位相雑音が異なるため、Ｍ＝２個のＰＴＲＳポートが必要となる。Ｄ＝４個のＤＭＲＳポートを使用すると仮定し、受信機は、４つのアンテナユニットまたはアンテナポートを使用し、参照信号のサブフレーム構成は、図５に示される。ＤＭＲＳは、３つめのＯＦＤＭシンボルに位置し、４つのポートを含み、シンボルで周波数分割多重化される。各ＰＴＲＳ参照信号は、１つのサブキャリア（ＰＴＲＳポート１が５つめのサブキャリアに設定され、ＰＴＲＳポート２が４つめのサブキャリアに設定される）を占め、第４〜１４個のシンボルで連続的に伝送される。第１〜２個のＯＦＤＭは、制御チャネルであり、残りの部分は、ユーザデータである。
【００８０】
送信機側（たとえば基地局側）：
システムの第２プリコーディング行列集合がＳ個の第２プリコーディング行列を有するとし、当該第２プリコーディング行列集合は、基地局側と受信側によって共有される。ユーザデータ帯域幅内の第ｋ個のサブキャリアで用いられる第２プリコーディング行列集合のインデックスｍｏｄ（ｋ，Ｓ）のインデックス値に対応する第２プリコーディング行列は、基地局側と端末側によって予め指定される。ｍｏｄは、モジュロ演算である。
第ｋ個のサブキャリアを例とし、ユーザのＲ＝３のテータストリームは、以下のＤ×Ｒ次元の第２プリコーディング行列Ｗ２によりプリコーディングされて４個の仮想テータストリームを得ると仮定し、それを、第１〜第４仮想テータストリームと定義する。
【数２０】
2019537373.tif 000022
第１、第２仮想テータストリームを送信機の前からＮ１個のアンテナユニットまたはアンテナポートで伝送し、第３、第４仮想テータストリームを送信機の末尾からＮ−Ｎ１個のアンテナユニットまたはアンテナポートで伝送する。この場合、当該４個の仮想テータストリームに用いられる第１プリコーディング行列は、
【数２１】
2019537373.tif 000023
と示される。
ここで、Ｗｋ1,1、Ｗｋ2,1は、Ｎ１×１の列ベクトルであり、第１、第２仮想テータストリームに用いられるプリコーディングのうち、前からＮ１個のアンテナユニットまたはアンテナポートに対応する重み値に対応する。Ｗｋ3,2、Ｗｋ4,2は、（Ｎ−Ｎ１）×１の列ベクトルであり、第３、第４仮想テータストリームに用いられるプリコーディングのうち、末尾からＮ−Ｎ１個のアンテナユニットまたはアンテナポートに対応する重み値に対応する。
ＤＭＲＳポート１は、送信機の前からＮ１個のアンテナユニットまたはアンテナポートで伝送され、図５に示すように、サブキャリアｄ１＝４、８、１２に分布する。サブキャリアｄ１上のＤＭＲＳ１は、当該サブキャリアで第１仮想テータストリームとは同一のプリコーディング
【数２２】
2019537373.tif 000024
を使用する。ＤＭＲＳポート２も、送信機の前からＮ１個のアンテナユニットまたはアンテナポートで伝送され、サブキャリアｄ２＝３、７、１１に分布する。サブキャリアｄ２上のＤＭＲＳ２は、当該サブキャリアで第２仮想テータストリームとは同一のプリコーディング
【数２３】
2019537373.tif 000025
を使用する。ＤＭＲＳポート３とＤＭＲＳポート４は、ともに送信機の末尾からＮ−Ｎ１個のアンテナユニットまたはアンテナポートで伝送される。ＤＭＲＳ３は、サブキャリアｄ３＝２、６、１０に分布し、ＤＭＲＳ４は、サブキャリアｄ４＝１、５、９に分布し、それぞれ、サブキャリアｄ３で第３仮想テータストリームとは同一のプリコーディング
【数２４】
2019537373.tif 000026
、サブキャリアｄ４で第４仮想テータストリームとは同一のプリコーディング
【数２５】
2019537373.tif 000027
を使用する。
２つのＰＴＲＳポートは、２つの部分の位相雑音の推定に用いられる。ここでＰＴＲＳポート１は、
【数２６】
2019537373.tif 000028
を用いてプリコーディングを行い、ＰＴＲＳポート２は、
【数２７】
2019537373.tif 000029
を用いてプリコーディングを行う。ここで、図６は、前記伝送の模式図を示している。
基地局側は、ＰＴＲＳ１をＤＭＲＳ１、ＤＭＲＳ２へ、ＰＴＲＳ２をＤＭＲＳ３、ＤＭＲＳ４へマッピングする情報を、ハイレイヤシグナリングまたは動的制御シグナリングによって端末に知らせる。
【００８１】
当該例において、受信側（たとえば端末側）：
第ｌ個のシンボルの第ｋ個のサブキャリアで受信したデータ信号は、
【数２８】
2019537373.tif 000030
と示され、さらに、
【数２９】
2019537373.tif 000031
と示される。
ここで、チャネルＨk,lとプリコーディングＷk,lは、１つの時間単位（サブフレーム）で一定に保持されるとする。送信機位相雑音行列の対角線において、
【数３０】
2019537373.tif 000032
の元素がＮ１個であり、
【数３１】
2019537373.tif 000033
の元素がＮ−Ｎ１個である。
受信機は、３つめのＯＦＤＭシンボルでＤＭＲＳ参照信号を受信する。２つめの受信アンテナまたはアンテナポートを例とすると、ＤＭＲＳポート１から合成チャネル
【数３２】
2019537373.tif 000034
が推定され、ＤＭＲＳポート２から
【数３３】
2019537373.tif 000035
が推定され、ＤＭＲＳポート３から
【数３４】
2019537373.tif 000036
が推定され、ＤＭＲＳポート４から
【数３５】
2019537373.tif 000037
が推定される。ＤＭＲＳが位置するシンボルにおいて、チャネル補間によって、すべてのサブキャリアのチャネルを推定することができ、図４の仮定に基づき、ここでｋ＝１、２、…、１２である。
受信機は、４つめのＯＦＤＭシンボルから２ポートＰＴＲＳを受信し、ＰＴＲＳポート１で
【数３６】
2019537373.tif 000038
を推定し、ＰＴＲＳポート２で
【数３７】
2019537373.tif 000039
を推定する。
受信機は、４つめのＯＦＤＭシンボルから２ポートＰＴＲＳを受信し、ＰＴＲＳ１から
【数３８】
2019537373.tif 000040
を推定し、ＰＴＲＳポート２から
【数３９】
2019537373.tif 000041
を推定する。
受信機は、送信機からシグナリングによって知らされ、ＰＴＲＳ１がＤＭＲＳ１、ＤＭＲＳ２にマッピングされる情報を受信する。この情報に基づき、ＰＴＲＳ１のチャネル推定結果を、ＤＭＲＳ１とＤＭＲＳ２のチャネル推定結果の和で除算することによって、２つめの受信アンテナまたはアンテナポート上の第ｌ個のシンボルが第３個のシンボルに対する、送信機の第１組のアンテナユニットまたはアンテナポートが経る位相の変化
【数４０】
2019537373.tif 000042
を得る。
送信機からシグナリングによって知らされる、ＰＴＲＳ２がＤＭＲＳ３、ＤＭＲＳ４にマッピングされる情報に基づいて、２つめの受信アンテナまたはアンテナポート上の第ｌ個のシンボルが第３個のシンボルに対する、送信機の第２組のアンテナユニットまたはアンテナポートが経る位相の変化
【数４１】
2019537373.tif 000043
を得る。
当該位相変化を３つめのシンボルから推定されたチャネルに乗じることによって、２つめの受信アンテナまたはアンテナポートで、第ｌ個のシンボルの第ｋ個のサブキャリア上のチャネル推定
【数４２】
2019537373.tif 000044
を得ることができる。
類似的に、１つめ、３つめ、４つめの受信アンテナまたはアンテナポートで、第ｌ個のシンボルの第ｋ個のサブキャリア上のチャネル推定を得ることができる。
送信機と受信機によって予め指定された第２プリコーディング行列使用ルールに基づき、サブキャリアｋで用いられる第２プリコーディング行列が、インデックスｍｏｄ（ｋ，Ｓ）に対応するプリコーディングであると特定することができる。実施例１と同様に、上記すべてのアンテナで推定されたチャネル行列と特定済みの第２プリコーディング行列を乗算して、サブキャリアｋでユーザデータが経る完全なチャネル情報を取得することができる。
以上推定された完全なチャネル情報に基づいて各テータストリームのユーザデータを復調することができる。ほかのサブキャリアについても同様であり、繰り返して記載しない。
【００８２】
本開示の実施例において、送信機は、第２プリコーディング行列でユーザデータのテータストリームにプリコーディングを行ってＤ個の仮想テータストリームを得る。送信機は、第１プリコーディング行列で前記Ｄ個の仮想テータストリームにプリコーディングを行い、各々が同一の位相雑音を有する１つまたは複数のアンテナユニットまたはアンテナポートを含むＴ個のアンテナセットによって、プリコーディング後のＤ個の仮想テータストリームを受信機に伝送する。前記送信機は、Ｄ個の復調参照信号を前記受信機に伝送する。ここで、各復調参照信号は、１つの仮想テータストリームに対応し、対応する仮想テータストリームとは同一のアンテナセットで伝送される。各復調参照信号に用いられるプリコーディングベクトルと、当該復調参照信号の位置するサブキャリアで、対応する仮想テータストリームに用いられる前記第１プリコーディング行列でのプリコーディングベクトルとは同一である。前記送信機は、前記Ｔ個のアンテナセットで１つまたは複数の位相雑音ソースから引き起こされる位相変化を追跡するためのＭ個の位相追跡参照信号を前記受信機に伝送する。送信機から位相追跡参照信号が送信されるため、受信機は、受信した位相追跡参照信号で位相補償を行うことによって、位相雑音の影響を低下させる。
【００８３】
図７は、本開示の実施例における参照信号伝送方法を示す。図７に示すように、下記ステップ７０１〜７０６を含む。
ステップ７０１において、受信機は、送信機から伝送されたデータ信号を受信する。
ステップ７０２において、受信機は、前記送信機から伝送された復調参照信号を受信し、受信した各復調参照信号のチャネルを推定する。ここで、前記受信機の受信アンテナユニットまたはアンテナポートの各々がＤ（１以上の整数）個の復調参照信号を受信する。
ステップ７０３において、受信機は、前記送信機から伝送された位相追跡参照信号を受信し、受信した各位相追跡参照信号のチャネルを推定する。ここで、前記受信機の受信アンテナユニットまたはアンテナポートの各々がＭ（１以上の整数）個の位相追跡参照信号を受信する。
ステップ７０４において、受信アンテナユニットまたはアンテナポート毎に、前記受信機は、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得る。
ステップ７０５において、受信機は、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得する。
ステップ７０６において、受信機は、前記チャネル情報を用いて前記データ信号を復調してユーザデータを得る。
【００８４】
なお、ステップ７０４は、各アンテナユニットまたはアンテナポートに対し対応する操作を行うが、ここで各アンテナユニットまたはアンテナポートについて、具体的に図２に示す実施例の説明を参照されたく、ここでは繰り返して記載せず、同一の効果を奏することができる。また、本開示の実施例において、ステップ７０１〜ステップ７０３の実行順序を限定しない。
【００８５】
選択可能に、前記受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることは、受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することと、前記受信機が、各位相追跡参照信号から推定されたチャネルと、各々の位相追跡参照信号に対応する復調参照信号から推定されたチャネルを比較して、各位相追跡参照信号に対応する位相変化情報を得ることと、前記受信機が、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得ることとを含む。
【００８６】
選択可能に、前記マッピング関係は、前記送信機と前記受信機によって予め指定され、または、前記方法は、前記受信機が、前記送信機から伝送された前記マッピング関係を受信することをさらに含む。
【００８７】
選択可能に、前記受信機が補償チャネル推定行列と取得済みの第２プリコーディング行列とに基づいてチャネル情報を取得することは、前記受信機が、前記補償チャネル推定行列と、取得済みの第２プリコーディング行列を乗算してチャネル情報を得ることを含む。
【００８８】
選択可能に、前記第２プリコーディング行列の情報は、前記送信機と前記受信機によって予め指定され、または、前記方法は、前記受信機が、前記送信機から伝送された前記第２プリコーディング行列の情報を受信すること、または、前記受信機が、データ帯域幅での前記第２プリコーディング行列の使用ルールを前記送信機から受信し、前記ルールに基づいて前記第２プリコーディング行列を取得することをさらに含む。
【００８９】
なお、本実施例は、図２に示す実施例に対応する受信機の実施形態として、その具体的な実施形態について、重複な説明を避けるために、図２に示す実施例の関連説明を参照されたく、本実施例において繰り返して記載しない。本実施例において、同様に、位相雑音の影響を低下させることが実現される。
【００９０】
図８は、本開示の実施例における送信機を示す。図８に示すように、送信機８００は、第２プリコーディング行列でユーザデータのテータストリームにプリコーディングを行ってＤ（１以上の整数）個の仮想テータストリームを得ることに用いられる符号化モジュール８０１と、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することに用いられる第１伝送モジュール８０２と、各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送することに用いられる第２伝送モジュール８０３と、前記Ｔ個のアンテナセットで１つまたは複数の位相雑音ソースから引き起こされる位相変化を追跡するためのＭ（１以上の整数）個の位相追跡参照信号を前記受信機に伝送することに用いられる第３伝送モジュール８０４とを含む。
【００９１】
選択可能に、各仮想テータストリームは、プリコーディングされて１つまたは複数のアンテナセットで伝送され、かつ同一の仮想テータストリームに用いられる１つまたは複数のアンテナセットは、同一の位相雑音を有する。
【００９２】
選択可能に、各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である。
【００９３】
選択可能に、各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である。
【００９４】
選択可能に、各位相追跡参照信号に用いられるプリコーディングのうち、当該位相追跡参照信号に用いられる１つまたは複数のアンテナセットに対応する重み値を除き、残りのアンテナセットのアンテナユニットまたはアンテナポートに対応する重み値は、すべて０である。
【００９５】
選択可能に、復調参照信号と位相追跡参照信号とのマッピング関係は、前記送信機と前記受信機によって予め指定され、または、図９に示すように、送信機８００は、前記第２プリコーディング行列の情報を前記受信機に伝送することに用いられる第４伝送モジュール８０５、または、データ帯域幅での前記第２プリコーディング行列の使用ルールを前記受信機に伝送することに用いられる第５伝送モジュール８０６をさらに含む。
【００９６】
選択可能に、図１０に示すように、送信機８００は、復調参照信号と位相追跡参照信号とのマッピング関係を前記受信機に伝送することに用いられる第６伝送モジュール８０７をさらに含み、または、復調参照信号と位相追跡参照信号とのマッピング関係は、前記送信機と前記受信機によって予め指定される。
【００９７】
選択可能に、前記復調参照信号と位相追跡参照信号とのマッピング関係として、１つの位相追跡参照信号に少なくとも１つの復調参照信号が対応付けられ、対応関係を有する位相追跡参照信号と復調参照信号とは、同一のアンテナセットで伝送され、位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである。
【００９８】
選択可能に、位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる。
【００９９】
なお、本実施例における上記送信機８００は、本開示の実施例における方法実施例の任意の実施形態の送信機であってもよい。本開示の実施例における方法実施例の送信機の任意の実施形態は、いずれも本実施例における上記送信機８００によって実現することができ、同一の技術を奏することもできるため、ここでは、繰り返して記載しない。
【０１００】
図１１は、本開示の実施例における受信機を示す。図１１に示すように、受信機１１００は、送信機から伝送されたデータ信号を受信することに用いられる第１受信モジュール１１０１と、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することに用いられる第２受信モジュール１１０２と、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することに用いられる第３受信モジュール１１０３と、受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることに用いられるチャネル推定モジュール１１０４と、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することに用いられる取得モジュール１１０５と、前記チャネル情報を用いて前記データ信号を復調してユーザデータを得ることに用いられる復調モジュール１１０６とを含む。
【０１０１】
選択可能に、図１２に示すように、チャネル推定モジュール１１０４は、受信アンテナユニットまたはアンテナポート毎に、取得済みの復調参照信号と位相追跡参照信号とのマッピング関係に基づいて、当該アンテナユニットまたはアンテナポートで受信された各位相追跡参照信号に対応する復調参照信号を特定することに用いられる特定ユニット１１０４１と、各位相追跡参照信号から推定されたチャネルと、各々の位相追跡参照信号に対応する復調参照信号から推定されたチャネルを比較して、各位相追跡参照信号に対応する位相変化情報を得ることに用いられるチャネル推定ユニット１１０４２と、各位相追跡参照信号に対応する位相変化情報に基づいて、各々の位相追跡参照信号に対応する復調参照信号から推定されたチャネルに対し位相雑音補償を行って、位相追跡参照信号の位置するシンボルでの各復調参照信号の補償チャネル推定を得ることに用いられる補償ユニット１１０４３とを含む。
【０１０２】
選択可能に、前記マッピング関係は、前記送信機と前記受信機によって予め指定され、または、図１３に示すように、前記受信機１１００は、前記送信機から伝送された前記マッピング関係を受信することに用いられる第４受信モジュール１１０７をさらに含む。
【０１０３】
選択可能に、取得モジュール１１０５は、前記補償チャネル推定行列と、取得済みの第２プリコーディング行列を乗算してチャネル情報を得ることに用いられる。
【０１０４】
選択可能に、前記第２プリコーディング行列の情報は、前記送信機と前記受信機によって予め指定され、または、図１４に示すように、前記受信機１１００は、前記送信機から伝送された前記第２プリコーディング行列の情報を受信することに用いられる第５受信モジュール１１０８、または、データ帯域幅での前記第２プリコーディング行列の使用ルールを前記送信機から受信し、前記ルールに基づいて前記第２プリコーディング行列を取得することに用いられる第６受信モジュール１１０９をさらに含む。
【０１０５】
なお、本実施例における上記受信機１１００は、本開示の実施例における方法実施例の任意の実施形態の受信機であってもよい。本開示の実施例における方法実施例の受信機の任意の実施形態は、いずれも本実施例における上記受信機１１００によって実現することができ、同一の技術を奏することもできるため、ここでは、繰り返して記載しない。
【０１０６】
図１５は、本開示の実施例における別の送信機の構造を示す。当該送信機は、プロセッサ１５００と、トランシーバ１５１０と、メモリ１５２０と、ユーザインタフェース１５３０と、バスインタフェースを含む。プロセッサ１５００は、メモリ１５２０からプログラムを読み取ることによって、第２プリコーディング行列でユーザデータのテータストリームにプリコーディングを行ってＤ（１以上の整数）個の仮想テータストリームを得るプロセスと、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送するプロセスと、各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送するプロセスと、前記Ｔ個のアンテナセットで１つまたは複数の位相雑音ソースから引き起こされる位相変化を追跡するためのＭ（１以上の整数）個の位相追跡参照信号を前記受信機に伝送するプロセスとを実行することに用いられる。
【０１０７】
トランシーバ１５１０は、プロセッサ１５００の制御下でデータの送受信に用いられ、上記Ｔ個のアンテナセットを含む。
【０１０８】
図１５において、バスアーキテクチャは、任意数の相互接続するバスとブリッジを含み、具体的に、プロセッサ１５００をはじめとする１つ又は複数のプロセッサとメモリ１５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１５１０は、複数の部品であってもよく、即ち送信機と受信機を含み、伝送媒体でほかの各種類の装置と通信するユニットとして提供される。ユーザ端末によっては、ユーザインタフェース１５３０は、内部接続や外部接続する機器のインタフェースであってもよい。接続する機器は、キーパッド、ディスプレイ、スピーカ、マイクロフォン、ジョイスティックなどを含むが、それらに限られない。
【０１０９】
プロセッサ１５００は、バスアーキテクチャと通常の処理を管理する。メモリ１５２０は、プロセッサ１５００による作業時に使用されるデータを記憶できる。
【０１１０】
選択可能に、各仮想テータストリームは、プリコーディングされて１つまたは複数のアンテナセットで伝送され、かつ同一の仮想テータストリームに用いられる１つまたは複数のアンテナセットは、同一の位相雑音を有する。
【０１１１】
選択可能に、各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である。
【０１１２】
選択可能に、各位相追跡参照信号は、プリコーディングされて１つまたは複数のアンテナセットで伝送され、かつ同一の位相追跡参照信号に用いられる１つまたは複数のアンテナセットは、同一の位相雑音を有する。
【０１１３】
選択可能に、各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である。
【０１１４】
選択可能に、前記第２プリコーディング行列の情報は、前記送信機と前記受信機によって予め指定され、または、プロセッサ１５００は、さらに、前記第２プリコーディング行列の情報をトランシーバ１５１０で前記受信機に伝送すること、または、データ帯域幅での前記第２プリコーディング行列の使用ルールをトランシーバ１５１０で前記受信機に伝送することに用いられる。
【０１１５】
選択可能に、復調参照信号と位相追跡参照信号とのマッピング関係は、前記送信機と前記受信機によって予め指定され、または、プロセッサ１５００は、さらに、復調参照信号と位相追跡参照信号とのマッピング関係をトランシーバ１５１０で前記受信機に伝送することに用いられる。
【０１１６】
選択可能に、前記復調参照信号と位相追跡参照信号とのマッピング関係として、１つの位相追跡参照信号に少なくとも１つの復調参照信号が対応付けられ、対応関係を有する位相追跡参照信号と復調参照信号とは、同一のアンテナセットで伝送され、位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである。
【０１１７】
選択可能に、位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる。
【０１１８】
なお、本実施例における上記送信機は、本開示の実施例における方法実施例の任意の実施形態の送信機であってもよい。本開示の実施例における方法実施例の送信機の任意の実施形態は、いずれも本実施例における上記送信機によって実現することができ、同一の技術を奏することもできるため、ここでは、繰り返して記載しない。
【０１１９】
図１６は、受信機の構造が示されている。当該受信機は、プロセッサ１６００と、トランシーバ１６１０と、メモリ１６２０と、ユーザインタフェース２１６０と、バスインタフェースを含む。プロセッサ１６００は、メモリ１６２０からプログラムを読み取ることによって、送信機から伝送されたデータ信号を受信するプロセスと、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信するプロセスと、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信するプロセスと、受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得るプロセスと、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得するプロセスと、前記チャネル情報を用いて前記データ信号を復調してユーザデータを得るプロセスとを実行することに用いられる。
【０１２０】
ここで、トランシーバ１６１０は、プロセッサ１６０の制御下でデータの送受信に用いられ、上記アンテナユニットまたはアンテナポートを含む。
【０１２１】
図１６において、バスアーキテクチャは、任意数の相互接続するバスとブリッジを含み、具体的に、プロセッサ１６００をはじめとする１つ又は複数のプロセッサとメモリ１６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１６１０は、複数の部品であってもよく、即ち送信機と受信機を含み、伝送媒体でほかの各種類の装置と通信するユニットとして提供される。ユーザ端末によっては、ユーザインタフェース２１６０は、内部接続や外部接続する機器のインタフェースであってもよい。接続する機器は、キーパッド、ディスプレイ、スピーカ、マイクロフォン、ジョイスティックなどを含むが、それらに限られない。
【０１２２】
プロセッサ１６００は、バスアーキテクチャと通常の処理を管理する。メモリ１６２０は、プロセッサ１６００による作業時に使用されるデータを記憶できる。
【０１２３】
選択可能に、前記受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることは、受信アンテナユニットまたはアンテナポート毎に、取得済みの復調参照信号と位相追跡参照信号とのマッピング関係に基づいて、当該アンテナユニットまたはアンテナポートで受信された各位相追跡参照信号に対応する復調参照信号を特定することと、各位相追跡参照信号から推定されたチャネルと、各々の位相追跡参照信号に対応する復調参照信号から推定されたチャネルを比較して、各位相追跡参照信号に対応する位相変化情報を得ることと、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得ることとを含む。
【０１２４】
選択可能に、前記マッピング関係は、前記送信機と前記受信機によって予め指定され、または、プロセッサ１６００は、さらに、前記送信機から伝送された前記マッピング関係をトランシーバ１６１０で受信することに用いられる。
【０１２５】
選択可能に、前記補償チャネル推定行列と取得済みの第２プリコーディング行列とに基づいてチャネル情報を取得することは、前記補償チャネル推定行列と、取得済みの第２プリコーディング行列を乗算してチャネル情報を得ることを含む。
【０１２６】
選択可能に、前記第２プリコーディング行列の情報は、前記送信機と前記受信機によって予め指定され、または、プロセッサ１６００は、さらに、前記送信機から伝送された前記第２プリコーディング行列の情報をトランシーバ１６１０で受信すること、または、データ帯域幅での前記第２プリコーディング行列の使用ルールを前記送信機からトランシーバ１６１０で受信し、前記ルールに基づいて前記第２プリコーディング行列を取得することに用いられる。
【０１２７】
なお、本実施例における上記受信機は、本開示の実施例における方法実施例の任意の実施形態の受信機であってもよい。本開示の実施例における方法実施例の受信機の任意の実施形態は、いずれも本実施例における上記受信機によって実現することができ、同一の技術を奏することもできるため、ここでは、繰り返して記載しない。
【０１２８】
本願で提供される実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１２９】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの組み合わせの形態で実施することができる。
【０１３０】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１３１】
以上の記載は、本開示の好適な実施形態である。当業者は、本開示に記載されている原理を逸脱せずに様々な改良や修飾をすることもできる。これらの改良や修飾も、本開示の保護範囲として見なされるべきである。
【図１】
2019537373.tif 000045
【図２】
2019537373.tif 000046
【図３】
2019537373.tif 000047
【図４】
2019537373.tif 000048
【図５】
2019537373.tif 000049
【図６】
2019537373.tif 000050
【図７】
2019537373.tif 000051
【図８】
2019537373.tif 000052
【図９】
2019537373.tif 000053
【図１０】
2019537373.tif 000054
【図１１】
2019537373.tif 000055
【図１２】
2019537373.tif 000056
【図１３】
2019537373.tif 000057
【図１４】
2019537373.tif 000058
【図１５】
2019537373.tif 000059
【図１６】
2019537373.tif 000060
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
送信機が、第２プリコーディング行列でユーザデータのテータストリームにプリコーディングを行ってＤ（１以上の整数）個の仮想テータストリームを得ることと、
前記送信機が、第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することと、
各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記送信機から前記受信機に伝送することと、
前記Ｔ個のアンテナセットで１つまたは複数の位相雑音ソースから引き起こされる位相変化を追跡するためのＭ（１以上の整数）個の位相追跡参照信号を前記送信機から前記受信機に伝送することとを含む参照信号伝送方法。
【請求項２】
各仮想テータストリームは、プリコーディングされて１つまたは複数のアンテナセットで伝送され、かつ同一の仮想テータストリームに用いられる１つまたは複数のアンテナセットは、同一の位相雑音を有する請求項１に記載の方法。
【請求項３】
各仮想テータストリームに用いられる前記第１プリコーディング行列でのプリコーディングベクトルのうち、当該仮想テータストリームに用いられる１つまたは複数のアンテナセットに対応する重み値を除き、残りのアンテナセットのアンテナユニットまたはアンテナポートに対応する重み値は、すべて０である請求項２に記載の方法。
【請求項４】
各位相追跡参照信号は、プリコーディングされて１つまたは複数のアンテナセットで伝送され、かつ同一の位相追跡参照信号に用いられる１つまたは複数のアンテナセットは、同一の位相雑音を有する請求項１〜３のいずれか一項に記載の方法。
【請求項５】
各位相追跡参照信号に用いられるプリコーディングベクトルのうち、当該位相追跡参照信号に用いられる１つまたは複数のアンテナセットに対応する重み値を除き、残りのアンテナセットのアンテナユニットまたはアンテナポートに対応する重み値は、すべて０である請求項４に記載の方法。
【請求項６】
前記第２プリコーディング行列の情報は、前記送信機と前記受信機によって予め指定され、
または、さらに、
前記第２プリコーディング行列の情報を前記送信機から前記受信機に伝送すること、または、データ帯域幅での前記第２プリコーディング行列の使用ルールを前記送信機から前記受信機に伝送することを含む請求項１〜３のいずれか一項に記載の方法。
【請求項７】
復調参照信号と位相追跡参照信号とのマッピング関係は、前記送信機と前記受信機によって予め指定され、
または、さらに、
復調参照信号と位相追跡参照信号とのマッピング関係を前記送信機から前記受信機に伝送することを含む請求項１〜３のいずれか一項に記載の方法。
【請求項８】
前記復調参照信号と位相追跡参照信号とのマッピング関係として、
１つの位相追跡参照信号に少なくとも１つの復調参照信号が対応付けられ、対応関係を有する位相追跡参照信号と復調参照信号とは、同一のアンテナセットで伝送され、
位相追跡参照信号に用いられるプリコーディングベクトルは、当該位相追跡参照信号の位置するサブキャリアで、対応する仮想テータストリームに用いられる前記第１プリコーディング行列でのプリコーディングベクトルに関連し、ここで、位相追跡参照信号に対応する仮想テータストリームは、当該位相参照信号に対応する復調参照信号に対応する仮想テータストリームである請求項７に記載の方法。
【請求項９】
位相追跡参照信号が１つの復調参照信号に対応するのであれば、当該位相追跡参照信号に用いられるプリコーディングベクトルと、当該位相追跡参照信号の位置するサブキャリアで、対応する仮想テータストリームに用いられる前記第１プリコーディング行列でのプリコーディングベクトルとは同一であり、
位相追跡参照信号が複数の復調参照信号に対応するのであれば、当該位相追跡参照信号に用いられるプリコーディングベクトルは、当該位相追跡参照信号の位置するサブキャリアで、前記複数の復調参照信号に対応する複数の仮想テータストリームに用いられる前記第１プリコーディング行列でのプリコーディングベクトルから演算して得られる請求項８に記載の方法。
【請求項１０】
受信機が、送信機から伝送されたデータ信号を受信することと、
前記受信機が、前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することと、
前記受信機が、前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することと、
受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることと、
前記受信機が、位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することと、
前記受信機が、前記チャネル情報を用いて前記データ信号を復調してユーザデータを得ることとを含む参照信号伝送方法。
【請求項１１】
前記受信アンテナユニットまたはアンテナポート毎に、前記受信機が、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることは、
受信アンテナユニットまたはアンテナポート毎に、前記受信機が、取得済みの復調参照信号と位相追跡参照信号とのマッピング関係に基づいて、当該アンテナユニットまたはアンテナポートで受信された各位相追跡参照信号に対応する復調参照信号を特定することと、
前記受信機が、各位相追跡参照信号から推定されたチャネルと、各々の位相追跡参照信号に対応する復調参照信号から推定されたチャネルを比較して、各位相追跡参照信号に対応する位相変化情報を得ることと、
前記受信機が、各位相追跡参照信号に対応する位相変化情報を用いて、各々の位相追跡参照信号に対応する復調参照信号から推定されたチャネルに対し位相雑音補償を行って、位相追跡参照信号の位置するシンボルでの各復調参照信号の補償チャネル推定を得ることとを含む請求項１０に記載の方法。
【請求項１２】
前記マッピング関係は、前記送信機と前記受信機によって予め指定され、
または、さらに、
前記受信機が、前記送信機から伝送された前記マッピング関係を受信することを含む請求項１１に記載の方法。
【請求項１３】
前記受信機が補償チャネル推定行列と取得済みの第２プリコーディング行列とに基づいてチャネル情報を取得することは、
前記受信機が、前記補償チャネル推定行列と、取得済みの第２プリコーディング行列を乗算してチャネル情報を得ることを含み、
前記第２プリコーディング行列の情報は、前記送信機と前記受信機によって予め指定され、
または、さらに、
前記受信機が、前記送信機から伝送された前記第２プリコーディング行列の情報を受信すること、または、前記受信機が、データ帯域幅での前記第２プリコーディング行列の使用ルールを前記送信機から受信し、前記ルールに基づいて前記第２プリコーディング行列を取得することを含む請求項１０〜１２のいずれか一項に記載の方法。
【請求項１４】
第２プリコーディング行列でユーザデータのテータストリームにプリコーディングを行ってＤ（１以上の整数）個の仮想テータストリームを得ることに用いられる符号化モジュールと、
第１プリコーディング行列で前記Ｄ個の仮想テータストリームにプリコーディングを行い、各々が同一の位相雑音を有する１つまたは複数のアンテナユニットまたはアンテナポートを含むＴ（１以上の整数）個のアンテナセットによって、プリコーディング後のＤ個の仮想テータストリームを受信機に伝送することに用いられる第１伝送モジュールと、
各々が、１つの仮想テータストリームに対応し、対応する仮想テータストリームとは同一のアンテナセットで伝送されるＤ個の復調参照信号であって、各々に用いられるプリコーディングベクトルと、当該復調参照信号の位置するサブキャリアで、対応する仮想テータストリームに用いられる前記第１プリコーディング行列でのプリコーディングベクトルとは同一であるＤ個の復調参照信号を、前記受信機に伝送することに用いられる第２伝送モジュールと、
前記Ｔ個のアンテナセットで１つまたは複数の位相雑音ソースから引き起こされる位相変化を追跡するためのＭ（１以上の整数）個の位相追跡参照信号を前記受信機に伝送することに用いられる第３伝送モジュールとを含む送信機。
【請求項１５】
受信機であって、
送信機から伝送されたデータ信号を受信することに用いられる第１受信モジュールと、
前記送信機から伝送された復調参照信号を受信し、受信した各復調参照信号のチャネルを推定し、ここで、前記受信機の受信アンテナユニットまたはアンテナポートの各々がＤ（１以上の整数）個の復調参照信号を受信することに用いられる第２受信モジュールと、
前記送信機から伝送された位相追跡参照信号を受信し、受信した各位相追跡参照信号のチャネルを推定し、ここで、前記受信機の受信アンテナユニットまたはアンテナポートの各々がＭ（１以上の整数）個の位相追跡参照信号を受信することに用いられる第３受信モジュールと、
受信アンテナユニットまたはアンテナポート毎に、当該アンテナユニットまたはアンテナポートを介してＭ個の位相追跡参照信号を受信し、受信したＤ個の復調参照信号から推定されたチャネルに対し位相補償を行い、位相追跡参照信号の位置するシンボルでの各復調参照信号の補償チャネル推定を得ることに用いられるチャネル推定モジュールと、
位相追跡参照信号の位置するシンボルでの、各受信アンテナユニットまたはアンテナポートで受信された各復調参照信号の補償チャネル推定が含まれる補償チャネル推定行列と、取得済みの第２プリコーディング行列とに基づいてチャネル情報を取得することに用いられる取得モジュールと、
前記チャネル情報を用いて前記データ信号を復調してユーザデータを得ることに用いられる復調モジュールとを含む受信機。
【国際調査報告】
2019537373.tif 000061
2019537373.tif 000062
2019537373.tif 000063
2019537373.tif 000064